(57)【要約】【課題】  給水が簡単であって、内部に空間を有さないドリルビットにも使用できる注水装置を提供する。【解決手段】  ドリルビット用注水装置８は、ドリルビット２の刃先２ａから回転工具取付部の外周囲全体を覆う水タンク３を有し、この水タンク３は長手方向が伸縮自在な蛇腹形状（３ｃ）をなし、ドリルビット刃先２ａ側に注水穴３ａが形成され、回転工具１の取付側にタンク給水穴３ｂが形成される。水タンク３は、内周壁３ｄおよび外周壁３ｅからなる空間に水７を蓄えるとともに、水タンク３の給水穴３ｂを塞ぐとともに水タンク３を回転工具１に取付けるための装着部材５を水タンク３に着脱自在に設け、水タンク３のドリルビット刃先２側の注水穴３ａからの水をドリルビット刃先２ａの周囲に導くための含水性弾性体４を水タンク３に着脱自在に設けるようにした。【選択図】図１
2014014892.tif 000002
【特許請求の範囲】
【請求項１】
水タンクを有し、回転工具の先端に取付けられて回転することにより加工材に穿孔を行うドリルビットの刃先付近に注水するドリルビット用注水装置であって、
前記水タンクは前記回転工具への取付部から前記ドリルビットの外周囲全体を覆うものであって、前記ドリルビット刃先側に注水穴を有し、
前記水タンクは内周壁および外周壁からなる空間に水を蓄える形状であることを特徴とするドリルビット用注水装置。
【請求項２】
前記水タンクの水を前記コアビット刃先の周囲に導くための含水性弾性体を設けたことを特徴とする請求項１に記載のドリルビット用注水装置。
【請求項３】
前記含水性弾性体を保持する弾性体保持部材を設け、前記弾性体保持部材は前記水タンクに着脱自在に配設されることを特徴とする請求項２に記載のドリルビット用注水装置。
【請求項４】
前記水タンクは伸縮自在な蛇腹形状をなすことを特徴とする請求項１から３のいずれか一項に記載のドリルビット用注水装置。
【請求項５】
前記水タンクは回転工具取付側にタンク吸水穴を有し、前記給水穴を塞ぐとともに前記水タンクを前記回転工具に取付けるための装着部材が設けられることを特徴とする請求項１から４のいずれか一項に記載のドリルビット用注水装置。
【発明の詳細な説明】
【技術分野】
【０００１】
本発明は、例えば電気ドリルに代表される回転工具の先端に取付けてコンクリート、その他の加工材の穴あけに使用されるドリルビットにおいて、先端に位置する刃先部分を冷却するためのドリルビット用注水装置に関する。
【背景技術】
【０００２】
電動工具等の動力源による回転力のよってコンクリート等に穿孔するための先端工具としドリルビットが広く用いられている。ドリルビットには水等の液体を供給しながら、刃先や穿孔面を冷却、潤滑しながら作業をすることが多い。従来の注水装置として特許文献１に記載された注水装置付きのドリルビット（コアビット）が知られている。図５は従来の注水装置であり、注水装置は回転工具１の先端に取付けられ、穿孔作業を行う回転工具（穿孔刃具）であるコアビット１０２の内部に設けられ、かつコアビット１０２の穿孔時にはその内部に貯えられた水で切削面を潤滑する。このように構成された回転工具の注水装置でコアビット１０２を上向き状態に保ち、開口部側より直接水を入れ、その後に先端部にガイドピン１０９と押圧板１１０とが設けられた含水性弾性体１０４が挿入される。このような注水装置を用いた穿孔作業を行う際には、回転工具１に防水カバー１１１が設けられ、コアビット１０２側から回転工具１側に水が飛散又は流入しないように保護される。
【先行技術文献】
【特許文献】
【０００３】
【特許文献１】実公昭６１−１６００８号公報
【発明の概要】
【発明が解決しようとする課題】
【０００４】
図５に示した従来のコアビット１０２では、水を供給するたびに常に片手で回転工具１もしくはコアビット１０２を上向きに保持する面倒な作業をしなければならない。また、給水を慎重に行わないと水が回転工具１にかかってしまう欠点があった。その対策として回転工具１の先端に防水カバー１１１を取付けるが、回転工具１のコストアップの要因になってしまう。また、従来の回転工具の注水装置はコアビット１０２内に設けられる構造のため、コアビット径が細く内部に十分な空間を有さないコアビット１０２や、円筒状に形成されないドリルビットには、注水装置が使用できないという欠点もあった。
【０００５】
本発明は上記背景に鑑みてなされたもので、その目的は、給水が簡単であって、円筒形のドリルビット（コアビット）に加えて、内部に空間を有さない細径のドリルビットであっても使用可能なドリルビット用注水装置を提供することにある。
【課題を解決するための手段】
【０００６】
上記目的を達成するために本発明は、ドリルビットの刃先から回転工具取付部までの外周囲全体を覆う水タンクを設け、水タンクの内周壁および外周壁からなる空間に水を蓄えるようにした。水タンクは、長手方向が伸縮自在な中空の蛇腹形状をなし、内部空間にドリルビットを貫通させるようにした。水タンクのドリルビット刃先側には注水穴を有する。水タンクは、着脱自在な装着部材によって給水穴が塞がれると共に回転工具に取付けられる。水タンクのドリルビット刃先側には注水された水をドリルビット刃先の周囲に導くための含水性弾性体が着脱自在に設けられる。水タンクのドリルビット刃先側の注水穴から供給される水は、含水性弾性体を介してドリルビット刃先の周囲に供給される。
【発明の効果】
【０００７】
本発明の注水装置によれば、回転工具から注水装置を外して給水作業が行えるため、給水作業で水が回転工具にかかることもなく給水作業が簡単にできる。また、注水装置をドリルビットの外周囲に配設するため、コアビットだけで無く、内部空間を有さない円柱形のドリルビットにも使用することができる。
【図面の簡単な説明】
【０００８】
【図１】本発明の実施例に係る回転工具の注水装置８を示す側面図であって、注水装置８を縦断面図で示す。
【図２】水タンク３の注水穴３ａ付近の部分縦断側面図である。
【図３】水タンク３の給水穴３ｂ付近の部分縦断側面図である。
【図４】本発明の実施例に係る回転工具の注水装置８を示す側面図であって、穿孔途中の注水装置８の状態を縦断面で示す図である。
【図５】従来の回転工具の注水装置を示す側面図であって、注水装置部分を縦断面図で示す図である。
【発明を実施するための形態】
【実施例１】
【０００９】
以下、本発明の実施例を図面を参照しながら説明する。なお、以下の図において、同一の部分には同一の符号を付し、繰り返しの説明は省略する。
【００１０】
図１は本発明の実施例に係る回転工具の注水装置８を示す側面図であって、注水装置８を縦断面図で示す。本実施例では先端工具としてコンクリート等の穿孔を行うドリルビット２が取り付けられる回転工具（穿孔刃具）に、本実施例に係る注水装置８を設けたものである。注水装置８はドリルビット２の外周囲に装着自在に設けられるものであって、内部に注水される水を貯蔵する水タンク３と、水タンク３の先端側であってドリルビット刃先２ａの周囲に位置する含水性弾性体４と、水タンク３を回転工具１へ取付けるための取付け用キャップ５を含んで構成される。  水タンク３は薄肉のプラスチック材料により成形されたのもので、内周壁３ｄと外周壁３ｅとでできる空間に水７を貯蔵するように構成される。プラスチック材料はある程度変形であって、透明又は半透明となるように構成すれば内部の水の量が視認できるので好ましい。また、内周壁３ｄと外周壁３ｅは長手方向に伸縮自在に移動可能なように蛇腹部３ｃを形成している。注水穴３ａ側には含水性弾性体４と、これを保持する弾性体保持部材６が着脱自在に装着されている。
【００１１】
含水性弾性体４は水タンク３の注水穴３ａから排出された水７を浸透させ外部に染み出させることができ、かつ弾性体保持部材６によって、含水性弾性体４から染み出してきた水７をドリルビット刃先２ａに効率よく導くことができる。一方、給水穴３ｂ側には回転工具１への取り付けをするキャップ５が着脱自在に装着される。キャップ５は弾性体から構成することにより注水装置８を回転工具１に取付けるための保持部材としての機能を持つと共に、水タンク３に装着された際に水タンク３の給水穴３ｂを塞ぐ蓋部としての機能も果たす。
【００１２】
図２は水タンク３の注水穴３ａ付近の部分縦断側面図である。水タンク３のドリルビット刃先２ａ側にはドリルビット２の先端付近に注水するための注水穴３ａが形成される。注水穴３ａは水タンク３の円筒形の先端部分の円筒部３ｆの先端面に設けられる。注水穴３ａは円周方向に等間隔で複数個設けると好ましい。円筒部３ｆの内周側及び先端側は含水性弾性体４が位置するように配置され、含水性弾性体４を保持する弾性体保持部材６が水タンク３に装着自在に配設される。弾性体保持部材６は含水性弾性体４の下側を覆うように径方向内側にまで延び、中央にドリルビット２の先端部の形に対応する貫通穴６ａが形成される。注水穴３ａから給水される水は、外部に直接漏れることなく含水性弾性体４の吸水作用又は導水作用によって径方向中央付近に案内される。
【００１３】
図３は水タンク３の給水穴３ｂ付近の部分縦断側面図である。水タンク３の回転工具１側の端部は円環状の円環部３ｇとなっており、この円環部３ｇの円周方向の１カ所又は複数箇所に給水穴３ｂが形成される。この水タンク３の給水穴３ｂ側には回転工具１への取付け用のキャップ５が水タンク３に装着自在に配設され、注水装置８はこのキャップ５を介して回転工具１に着脱自在に設けられる。
【００１４】
このように構成された注水装置８であるが、その使用方法を図４を用いて穿孔手順に従って説明する。まず、給水作業は、注水装置８のキャップ５を外し、水タンク３の給水穴３ｂから水を供給する。この時、供給した水７が水タンク３の注水穴３ａからそのまま排出されないように、含水性弾性体４および弾性体保持部材６を装着しておく。水タンク３に水７を入れたら、キャップ５を水タンク３に装着し、給水穴３ｂを塞ぐ。これで給水作業は終了である。このようにして水７を貯蔵した注水装置８をキャップ５を介して回転工具１に装着することができる。
【００１５】
次に注水作業については、注水装置８及びドリルビット刃先２ａの先端部を被穿孔材２０に押し当てながらの穿孔作業を行う。図４は穿孔作業が進行してドリルビット刃先２ａが被穿孔材２０の内部にまで到達している状態を示しているが、このように穿孔作業が進行するにつれて、蛇腹部３ｃが縮んでいき内部圧力が高くなって水タンク３内の水７は注水穴３ａを通って押し出されて含水性弾性体４に浸透していく。含水性弾性体４に注水された水は、含水性弾性体４の表面に染み出してきて、弾性体保持部材６により効率よくドリルビット２の周囲に導かれ、ドリルビット刃先２ａを冷却することができる。本実施例では含水性弾性体４の穴径とドリルビット２の刃先径は適度な隙間を設けている。尚、水タンク３の径はある程度大きいので、様々な径のドリルビット２に対応できるが、その場合はドリルビット２の大きさに合わせて異なる穴径の含水性弾性体４、弾性体保持部材６を用いると良い。尚、上述の実施例においては、含水性弾性体４により徐々にドリルビット刃先２ａに注水を行うよう構成したが、その他の弁構造によって注水量を制御する構成であっても良い。また、水タンク３は蛇腹状だけに限られず、長手方向に伸縮自在な構成であれば良く、複数の筒体を組み合わせて構成されたものであっても良い。
【００１６】
このように本実施例によればドリルビット外周に、長手方向に伸縮自在で、かつ簡便に給水できる水タンクを装着自在に配設したので、給水の度に本体を支えるとか、本体に水がかかるのを防ぐ防水構造を施す等の従来技術の欠点が解消できる。また、ドリルビットの外周囲に配設する構造であるため、内部に空間を有さない非円筒状のドリルビットにも使用することができる。
【符号の説明】
【００１７】
１  回転工具                        ２  ドリルビット
２ａ  ドリルビット刃先              ３  水タンク
３ａ  注水穴                        ３ｂ  給水穴
３ｃ  蛇腹部                        ３ｄ  内周壁
３ｅ  外周壁                        ３ｆ  円筒部
３ｇ  円環部                        ４  含水性弾性体
５  キャップ（装着部材）            ６  弾性体保持部材
６ａ  貫通穴                        ７  水
８  注水装置                        ２０  被穿孔材
１０２  コアビット                  １０４  含水性弾性体
１０９  ガイドピン                  １１０  押圧板
１１１  防水カバー
【図１】
2014014892.tif 000003
【図２】
2014014892.tif 000004
【図３】
2014014892.tif 000005
【図４】
2014014892.tif 000006
【図５】
2014014892.tif 000007